(57)【要約】【課題】本発明は給液所の係員が釣り銭機の動作状況を確認できることを課題とする。【解決手段】燃料供給システム１０は、釣り銭機１４と、複数の燃料供給装置１６（１６１〜１６ｎ）と、管理コンピュータ２０と、ＰＯＳ本体２１とを有する。釣り銭機１４は、釣り銭を支払うための装置である。管理コンピュータ２０は、各燃料供給装置１６（１６１〜１６ｎ）を管理すると共に、各燃料供給装置１６（１６１〜１６ｎ）で給液した顧客が釣り銭機１４から釣り銭を排出したか否かをモニタ２０ａに表示する。また、管理コンピュータ２０は、給液中の状態と、給液終了後の釣り銭精算待ち状態と、釣り銭機１４から釣り銭払い出完了状態の夫々を異なる色で表示することにより、複数の計量機の動作状態と共に釣り銭機の動作状態を容易に確認することができる。【選択図】    図１
2004206628.tif 000002
【特許請求の範囲】
【請求項１】
被供給体への燃料の供給に先立って、貨幣が入金される入金機と、
該入金機に貨幣が入金されたことを条件に前記被供給体へ燃料を供給する燃料供給機と、
該燃料供給機から供給された燃料の供給金額が前記入金額より少ない場合に釣り銭を排出する釣り銭機と、
前記燃料供給機を管理する管理コンピュータと、
を備えた燃料供給システムにおいて、
前記管理コンピュータは、表示面と、前記燃料供給機で燃料の供給を受けた顧客が前記釣り銭機から釣り銭を排出していない場合にその旨を当該表示面に表示する釣り銭精算待ち状態表示手段とを備えたことを特徴とする燃料供給システム。
【請求項２】
前記管理コンピュータの表示面は、前記燃料供給機の状態を表示するための燃料供給機状態表示エリアを有し、
前記釣り銭精算待ち状態表示手段は、当該燃料供給機状態表示エリア内に当該燃料供給機より燃料の供給を受けた顧客が釣り銭精算待ち状態であるのか、前記釣り銭機からの釣り銭の払い出しを受けた状態であるのかを表示する表示制御手段を備えたことを特徴とする請求項１記載の燃料供給システム。
【発明の詳細な説明】
【０００１】
【発明の属する技術分野】
本発明は燃料供給システムに係り、特に車両の燃料タンクに予め設定された燃料供給モード（プリセットモードまたは満タン給ード）で燃料を供給するよう構成した燃料供給システムに関する。
【０００２】
【従来の技術】
例えば、ガソリンや軽油等の油液を車両の燃料タンクに供給する燃料供給システムを例に挙げて以下説明する。
【０００３】
セルフサービス方式の計量機が設置された給液所等では、顧客（運転者）自身が給液モードの設定、給液作業、給液料金の精算を行うようになっている。そのため、顧客（運転者）は、給液料金の精算方法（現金支払いまたはクレジットカード支払い）を指定した後、給液を行う前に給液する油種や給液量等のスイッチを有する設定器により所定の油種、給液量または給液金額を入力する設定操作を行った後、給液操作を行うようになっている。
【０００４】
また、セルフサービス方式の計量機に給液量または給液金額の設定を行う設定器及び紙幣が入金される自動支払機が設けられている所謂アイランド精算方式の場合には、給液場所で給液料金の精算を行うことができる。この自動支払機は、紙幣挿入部及び紙幣収容部が設けられ、挿入された紙幣の種類を鑑別する紙幣鑑別部と、挿入された紙幣金額（入金金額）を表示する表示部とを有する。
そして、アイランド精算方式の燃料供給システムでは、給液前に予め給液量または給液金額をプリセットする場合、顧客（運転者）は、まず自動支払機に紙幣（１万円札、５千円札等）を紙幣挿入部に挿入し、入金された金額が紙幣リーダにより読み取られて表示部に入金金額が表示された後、所望の油種（レギュラー、ハイオク、軽油等）を入力し、所望の給液量（１０リットル、２０リットル等）または給液金額（２千円、３千円等）を入力することで、計量機が給液可能状態になる。
【０００５】
給液終了後、入金額から給液量に応じた給液金額と消費税とを合計した金額を差し引いて釣り銭額を算出する。顧客（運転者）は、当該自動支払機から発行された伝票を受け取り、釣り銭機の設置場所へ移動する。そして、顧客（運転者）は、この伝票を釣り銭機の伝票読み取り機に挿入する。釣り銭機では、伝票に印刷された伝票番号を示すバーコードを読み取って計量機番号を認識し、当該計量機に対応する釣り銭額を払い出す（例えば、特許文献1参照）。
【０００６】
また、従来の燃料供給システムでは、給液所の事務所に設置された管理コンピュータ（「ＳＳコントローラ」とも呼ばれている）によって上記計量機の動作状態を管理しており、管理コンピュータのモニタに各計量機の動作状態が表示される。
【０００７】
一方、釣り銭機については、給液所の係員が定期的に釣り銭の残高をチェックしており、残高の少ない硬貨及び紙幣を補充している。
【０００８】
【特許文献１】
特開２００２−２８９４号公報
【０００９】
【発明が解決しようとする課題】
上記従来の燃料供給システムでは、給液所の係員が給液所に設置された全ての計量機を管理しており、モニタ画面に給液許可要求が表示されると、監視カメラの画像から当該計量機の状況を確認して給液許可要求のあった計量機番号に給液許可を与えており、計量機の設置数が多い場合には、釣り銭機の動作状況まで確認することが難しくなる。
【００１０】
従って、従来の燃料供給システムにおいては、給液所の係員が釣り銭機の動作状態を認識することが難しくなり、例えば、顧客から釣り銭を受け取らず給液所を出たが、後で気が付いたので、釣り銭を受け取りに来た場合には、顧客が釣り銭を受け取ったかどうかまで確認できないという問題があった。
【００１１】
そこで、本発明は上記課題を解決した燃料供給システムを提供することを目的とする。
【００１２】
【課題を解決するための手段】
本発明は上記課題を解決するため、以下のような特徴を有する。
上記請求項１記載の発明は、被供給体への燃料の供給に先立って、貨幣が入金される入金機と、入金機に貨幣が入金されたことを条件に被供給体へ燃料を供給する燃料供給機と、燃料供給機から供給された燃料の供給金額が入金額より少ない場合に釣り銭を排出する釣り銭機と、燃料供給機を管理する管理コンピュータと、を備えた燃料供給システムにおいて、管理コンピュータが、表示面と、燃料供給機で燃料の供給を受けた顧客が釣り銭機から釣り銭を排出していない場合にその旨を当該表示面に表示する釣り銭精算待ち状態表示手段とを備えたものであり、燃料供給を受けた顧客が釣り銭を受け取ったかどうかを確認することが可能になる。
【００１３】
上記請求項２記載の発明は、管理コンピュータの表示面が、燃料供給機の状態を表示するための燃料供給機状態表示エリアを有し、釣り銭精算待ち状態表示手段が、当該燃料供給機状態表示エリア内に当該燃料供給機より燃料の供給を受けた顧客が釣り銭精算待ち状態であるのか、釣り銭機からの釣り銭の払い出しを受けた状態であるのかを表示する表示制御手段を備えたものであり、複数の燃料供給機それぞれの動作状態と共に釣り銭機より釣り銭を受け取っていない顧客がいずれの燃料供給機より燃料の供給を受けたのかを容易に認識することが可能になる。
【００１４】
【発明の実施の形態】
以下、図面と共に本発明の実施の形態について説明する。
図１は本発明になる燃料供給システムの一実施例の構成図である。
図１に示されるように、燃料供給システム１０は、給液エリア１２に設置された釣り銭機１４と、複数の燃料供給装置１６（１６１〜１６ｎ）と、事務所１８内に設置された管理コンピュータ２０と、管理コンピュータ２０に接続されたＰＯＳ本体２１とを有する。管理コンピュータ２０は、後述するようにタッチパネル式のモニタ２０ａに各燃料供給装置１６（１６１〜１６ｎ）及び釣り銭機１４の動作状態を表示しており、給液所の係員が各燃料供給装置１６（１６１〜１６ｎ）及び釣り銭機１４の動作状態を一目で分かるようになっている。釣り銭機１４は、例えば、給液作業終了後に入金額と給液金額との差額（釣り銭）を支払うための装置であり、係員の釣り銭補充作業を容易にするため、事務所の近傍に設けられている。
【００１５】
管理コンピュータ２０の記憶装置２２には、各燃料供給装置１６で燃料の供給を受けた顧客が釣り銭機１４から釣り銭を排出していない場合にその旨を当該表示器に表示する制御プログラム（釣り銭精算待ち状態表示手段）が格納されている。また、記憶装置２２には、モニタ２０ａの表示面に形成された当該燃料供給機状態表示エリア内に当該各燃料供給装置１６より燃料の供給を受けた顧客が釣り銭精算待ち状態であるのか、釣り銭機１４からの釣り銭の払い出しを受けた状態であるのかを表示する制御プログラム（表示制御手段）が格納されている。
【００１６】
燃料供給装置１６は、セルフサービス給液方式の計量機２４と、計量機２４に搭載された設定器２６と、料金をその場で精算するための自動支払機（入金機）２８とを有する。また、釣り銭機１４及び複数の燃料供給装置１６（１６１〜１６ｎ）は、通信回線（例えば、ＳＳ−ＬＡＮ）３０を介して管理コンピュータ２０と接続されている。
【００１７】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１８】
図２は燃料供給装置１６の正面図である。
図２に示されるように、燃料供給装置１６は、セルフサービス方式の計量機２４からなり、操作部３８と、操作部３８の両側に起立する支柱４０，４２と、上部に横架されたホース支持部４４とを有する。
【００１９】
計量機２４の内部には、後述する各給液系統の電磁弁と、給液ポンプと、流量計などの各機器が設けられている。
【００２０】
操作部３８には、静電気除去シート４６と、静電気除去シート４６の右側に配置された設定器２６と、自動支払機２８と、インタホン４８とが設けられている。設定器２６は、液晶モニタなどからなるタッチパネル４９を有し、タッチパネル４９に表示された設定入力画面に触れることで液種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００２１】
また、タッチパネル４９は、設定器２６と流量表示器とを兼ねている。すなわち、給液開始前のタッチパネル４９は、設定器２６の設定操作部として機能すると共に、設定終了後のタッチパネル４９は、給液量を表示する給液量表示器として機能するように設けられている。
【００２２】
また、人検知センサ５０としては、例えば、光センサあるいはイメージセンサなどを用いたものであり、給液操作を行う操作者が設定器２６の前に立ったことを検知してその検知信号を出力する。
【００２３】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２４】
カード挿入部５４は、給液所が発行したプリペイドカード、あるいはクレジットカードを挿入されると、カードに記憶された情報を読み取り、給液が可能かどうかを設定器２６に表示させる。
【００２５】
レシート発行部５６は、給液が終了すると、液種、給液量、給液金額、消費税、合計金額などの給液情報を記載したレシートを発行する。
【００２６】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２７】
図３は燃料供給装置１６の各機器の構成を示すブロック図である。
図３に示されるように、燃料供給装置１６の制御回路６６には、各給液経路に設けられた電磁弁６８、給液ポンプ７０、流量計７２、メモリ８０と、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８と、レシート発行部５６に設けられたプリンタ８２と接続されている。
【００２８】
図４は設定器２６のタッチパネル４９に表示される給液開始画面の一例を示す図である。
図４に示されるように、給液開始画面８４は、給液量の表示領域８４ａにゼロＬ（リットル）を表示し、税込金額の表示領域８４ｂにゼロ円を表示する。さらに、給液開始画面８４では、支払方法の表示領域８４ｃに現金、入金金額の表示領域８４ｄに入金された金額（例えば、５０００円）、液種の表示領域８４ｅに予め設定された液種（例えば、レギュラー）、給液方法の表示領域８４ｆに予め設定された給液方法（プリセット給液または満タン給液）、消費税額の表示領域８４ｇにはゼロ円、単価の表示領域８６ｈには、設定された液種の単価、釣り銭額の表示領域８４ｉには現在の給液金額に対応した釣り銭額（この場合、ゼロ円）が表示される。
【００２９】
制御回路６６は、給液が開始されて流量計７２から流量パルスが出力されると、流量パルスの積算値から求まる給液量に応じた給液金額の値を逐次更新すると共に、給液量の表示領域８４ａに給液量を表示する。
【００３０】
図５は設定器２６のタッチパネル４９に表示される給液終了画面の一例を示す図である。
図５に示されるように、給液終了画面８６は、給液量の表示領域８６ａに３０Ｌ（リットル）を表示し、税込金額の表示領域８６ｂに２９９３円を表示する。さらに、給液終了画面８６では、支払方法の表示領域８６ｃに現金、入金金額の表示領域８６ｄに入金された金額（例えば、５０００円）、液種の表示領域８６ｅに予め設定された液種（例えば、レギュラー）及び単価（例えば、９５円）、給液方法の表示領域８６ｆに予め設定された給液方法（例えば、満タン給液）、消費税額の表示領域８４ｇには給液１４３円、単価の表示領域８６ｈには、設定された液種の単価（例えば、レギュラーの場合、９５円／Ｌ）、釣り銭額の表示領域８４ｉに２００７円が表示される。また、表示領域８４ｉの下方には、確認釦（操作部）８８が表示される。
【００３１】
このように、給液終了画面８６では、入金金額（５千円）から給液量に対応する給液金額と消費税の合計（２９９３円）を減算した釣り銭額（２００７円）が表示されるので、顧客（運転者）は釣り銭額をその場で確認することができる。そのため、給液終了後に釣り銭機１４へ移動して釣り銭を受けることができ、釣り銭を忘れることが防止される。
【００３２】
さらに、プリセット給液を行っている給液途中において、給液ノズル６０の液面検知機構（図示せず）により液面検知されて自動閉弁機構（図示せず）が作動した場合でも、プリセット値（設定量）が給液されていないので、顧客（運転者）は、釣り銭があることを確認できる。
【００３３】
図６は給液終了後に確認釦８８がオンに操作された場合に発行されるレシートの印字例を示す図である。
図６に示されるように、給液終了後、確認釦８８がオンに操作されると、レシート発行部５６のプリンタ８２からレシート９０が発行される。
【００３４】
レシート９０には、店名９０ａ、電話番号９０ｂ、発行年月日・時間９０ｃ、伝票番号９０ｄ、給液された液種９０ｅ、単価９０ｆ、給液金額９０ｇ、消費税９０ｈ、合計９０ｉ、釣り銭の受け取りメッセージ９０ｊ、伝票番号を識別するためのバーコード９０ｋなどが印字される。
【００３５】
図７は釣り銭機１４の正面図である。
図７に示されるように、釣り銭機１４は、給液が終了した車両が通過する場所に設置されており、筐体１４ａの前面にインタホン９２、レシート読み取り機９４、硬貨払い出し口９６、紙幣払い出し口９８、防犯スピーカ１００、取扱中表示ランプ１０２が設けられている。
【００３６】
また、釣り銭機１４は、前述したように、通信回線３０を介して複数の燃料供給装置１６（１６１〜１６ｎ）及び、管理コンピュータ２０と接続されている。そして、釣り銭器１４は、各種硬貨が収納された硬貨払い出し部、各種紙幣が収納された紙幣払い出し部（共に図示せず）と、通信回線３０に接続された通信制御部（図示せず）などが筐体１４ａの内部に設けられている。
【００３７】
ここで、管理コンピュータ２０のモニタ２０ａに表示される計量機管理画面及びその表示方法について説明する。
【００３８】
図８は管理コンピュータ２０のモニタ２０ａの表示面に表示される計量機管理画面の一例を示す図である。
図８に示されるように、管理コンピュータ２０のモニタ２０ａは、タッチパネル式のモニタであり、画面に表示された操作釦を押圧することにより、表示される情報を切り替えられる。通常、管理コンピュータ２０のモニタ２０ａの表示面には、計量機管理画面１０４が表示されている。
【００３９】
この計量機管理画面１０４は、１６台の燃料供給装置１６（１６１〜１６１６）の状態を表示する計量機状態表示領域１０６（１０６１〜１０６１６）と、給液所に設置された８台の釣り銭機１４の状態を表示する釣り銭機状態表示領域１０８（１０８１〜１０８８）と、釣り銭機一覧表示釦１１０と、緊急停止釦１１２と、メニュー釦１１４と、監視カメラ表示釦１１６と、停止釦１１８と、給液許可釦１２０とが表示される。尚、燃料供給装置１６及び釣り銭機１４の表示数は、これに限らないのは勿論である。
【００４０】
ここで、計量機状態表示領域１０６の表示例について説明する。
図９（Ａ）〜（Ｇ）は計量機状態表示領域１０６の表示例の切り替わりを説明するための図である。尚、図９（Ａ）〜（Ｇ）に示す表示例は、顧客が給液終了後、釣り銭を釣り銭機１４から払い出す前に、次の顧客が設定器２６により設定操作した場合、次の顧客の設定情報が精算待ちデータの上に重なって表示される。
【００４１】
図９（Ａ）に示されるように、計量機状態表示領域１０６には、前回表示の給液情報（計量機番号１２２、動作状態１２４、伝票番号１２６、液種１２８、給液量１３０、釣り銭額１３２）が表示される。そして、精算待ちの場合、前回表示の給液情報（動作状態１２４、伝票番号１２６、液種１２８、給液量１３０、釣り銭額１３２）が水色で表示される。そのため、係員は、モニタ２０ａに表示された計量機状態表示領域１０６の水色で表示された部分については、精算待ちの状態であることを一目で認識できる。
【００４２】
図９（Ｂ）に示されるように、同じ計量機に次の顧客が到着して設定操作を開始すると、図９（Ａ）に示す前回表示の給液情報（動作状態１２４、伝票番号１２６、液種１２８、給液量１３０、釣り銭額１３２）の一部と重なるように空欄の動作状態１２４ａ、伝票番号１２６ａを表示すると共に、今回設定器２６に入力された液種及びプリセット金額を、液種１２８ａ、給液量１３０ａ、釣り銭額１３２ａに表示させる。
【００４３】
この場合、動作状態１２４ａ、伝票番号１２６ａ、液種１２８ａ、給液量１３０ａ、釣り銭額１３２ａは、薄い緑色に表示される。
【００４４】
図９（Ｃ）に示されるように、前回の顧客が、給液終了後に釣り銭機１４から釣り銭を払い出すと、前回表示の給液情報（動作状態１２４、伝票番号１２６、液種１２８、給液量１３０、釣り銭額１３２）は、薄い赤色に表示される。これにより、係員は、前回の顧客が釣り銭を受け取ったことを確認する。
【００４５】
図９（Ｄ）に示されるように、釣り銭が払い出されてから所定時間（例えば、９０秒）が経過すると、前回表示の給液情報（動作状態１２４、伝票番号１２６、液種１２８、給液量１３０、釣り銭額１３２）は消去される。
【００４６】
ここで、前の顧客が精算を終了した直後に次の顧客が設定操作を開始した場合の表示例について図１０（Ａ）〜（Ｃ）を参照して説明する。
【００４７】
次に、釣り銭機１４から釣り銭の払い出しが終了されると、９０秒以内に次の顧客が設定器２６により設定情報を入力した場合、次の顧客の設定情報が精算待ちデータの上に重なって表示される。
【００４８】
図１０（Ａ）に示されるように、顧客が、給液終了後に釣り銭機１４から釣り銭を払い出すと、前回表示の給液情報（動作状態１２４、伝票番号１２６、液種１２８、給液量１３０、釣り銭額１３２）は、薄い赤色に表示される。これにより、係員は、今回の顧客が釣り銭を受け取ったことを確認する。
【００４９】
図１０（Ｂ）に示されるように、釣り銭が払い出された後、所定時間が経過する前に次の顧客が設定器２６により設定情報を入力した場合は、図１０（Ａ）に示す前回表示の給液情報（動作状態１２４、伝票番号１２６、液種１２８、給液量１３０、釣り銭額１３２）の一部と重なるように空欄の動作状態１２４ａ、伝票番号１２６ａを表示すると共に、今回設定器２６に入力された液種及びプリセット金額を、液種１２８ａ、釣り銭額１３２ａに表示させる。
【００５０】
この場合、今回表示の給液情報（動作状態１２４ａ、伝票番号１２６ａ、液種１２８ａ、給液量１３０ａ、釣り銭額１３２ａ）は、薄い緑色に表示される。
【００５１】
図１０（Ｃ）に示されるように、釣り銭が払い出されてから所定時間（例えば、９０秒）が経過すると、前回表示の給液情報（動作状態１２４、伝票番号１２６、液種１２８、給液量１３０、釣り銭額１３２）は消去される。
【００５２】
次に、計量機状態表示領域１０６に３つの給液情報が一部重なって表示させた場合の表示例について説明する。
図１１（Ａ）〜（Ｃ）は３つの給液情報が一部重なって表示させた場合の表示例を示す図である。
【００５３】
図１１（Ａ）に示されるように、計量機状態表示領域１０６は、最大３つの給液情報１４１〜１４３まで表示可能である。これらの給液情報１４１〜１４３は、伝票番号によって管理されており、レシート９０に印刷されたバーコード９０ｋを読み取って識別される。例えば、給液情報１４１，１４３は、精算待ちのため、水色で表示される。そのため、係員は、モニタ２０ａに表示された計量機状態表示領域１０６の水色で表示された給液情報１４１，１４３（伝票番号１４９，１５１）については、精算待ちの状態であるが分かる。
【００５４】
また、給液情報１４２は、顧客が給液終了後に釣り銭機１４から釣り銭を払い出したため、薄い赤色に表示される。これにより、係員は、給液情報１４２（伝票番号１５０）については、顧客が釣り銭を受け取ったことが分かる。
【００５５】
図１１（Ｂ）に示されるように、４番目の顧客が給液情報１４４を入力すると、給液情報１４１（伝票番号１４９）の表示が消えて新規の給液情報１４４が表示される。当該計量機は、給液許可待ちであるので、給液情報１４４は薄い緑色で表示される。尚、この時点で給液情報１４２は、顧客が給液終了後に釣り銭機１４から釣り銭を払い出したため、薄い赤色に表示される。また、給液情報１４３は、精算待ちのため、水色で表示される。
【００５６】
図１１（Ｃ）に示されるように、給液情報１４２は、精算終了後、所定時間経過により消去される。これと共に、それまで計量機状態表示領域１０６に表示されていなかった精算待ちの給液情報１４１（伝票番号１４９）の表示が復活する。
【００５７】
ここで、燃料供給装置１６の制御回路（図示せず）が実行する制御処理について図１２を参照して説明する。
【００５８】
図１２に示されるように、燃料供給装置１６の制御回路６６は、ステップＳ１１（以下「ステップ」を省略する）において、設定器２６より給液前の設定情報（液種、給液方法、給液量、給液金額、入金額など）が入力されたかどうかをチェックする。
【００５９】
Ｓ１１において、給液前の設定情報（液種、給液方法、給液量、給液金額、入金額など）が入力された場合、Ｓ１２に進み、給液前情報を管理コンピュータ２０へ送信する。次のＳ１３では、ノズル掛け６２に設けられたノズルスイッチ７４がオフかどうかをチェックする。
【００６０】
Ｓ１３において、ノズルスイッチ７４がオフになると、ノズル掛け６２から給液ノズル６０が外されて車両（図示せず）の給液口に挿入されたものと判断し、Ｓ１４に進む。Ｓ１４では、給液ノズル６０が外されたことを示す給液許可要求信号を管理コンピュータ２０へ送信する。
【００６１】
次のＳ１５では、管理コンピュータ２０から給液許可信号が送信されたかどうかをチェックする。Ｓ１５において、給液所の係員が管理コンピュータ２０のモニタ２０ａに表示された給液許可要求信号を出力した計量機番号の計量機状態表示領域１０６を押圧した後、給液許可釦１２０が押圧操作されると、当該計量機番号に対して給液要求信号を出力する。
【００６２】
そのため、Ｓ１５において、給液要求信号が入力されると、Ｓ１６に進み、給液ポンプ７０のモータ（図示せず）を起動させる。これで、顧客（運転者）が給液ノズル６０のノズルレバー（図示せず）を開弁位置に操作すると、車両の燃料タンクに給液開始される。そして、当該燃料供給装置１６の流量計７２が給液量に応じた流量パルスを出力すると、流量パルスを積算して積算流量（給液量）を算出すると共に、実給液量、給液金額、液種単価をタッチパネル４９に表示する（図５参照）。
【００６３】
次のＳ１７では、ノズル掛け６２に設けられたノズルスイッチ７４がオンかどうかをチェックする。Ｓ１７において、ノズルスイッチ７４がオンになると、ノズル掛け６２に給液ノズル６０が戻されて当該車両（図示せず）への給液が終了したものと判断し、Ｓ１８に進む。Ｓ１８では、給液ポンプ７０のモータ（図示せず）へ出力されていた駆動信号を停止すると共に、入金額及び実給液データ（給液量、給液金額、消費税を含む）を釣り銭機１４及び管理コンピュータ２０へ出力する。次のＳ１９では、前述したようにレシート発行部５６のプリンタ８２から実給液情報（少なくとも単価、給液量、給液金額、消費税）及び伝票番号が印字されたレシート９０を発行させる（図６参照）。
【００６４】
これで、燃料供給装置１６の制御回路（図示せず）が実行する一連の制御処理が終了する。
【００６５】
図１３は釣り銭機１４の制御回路（図示せず）が実行する制御処理を説明するためのフローチャートである。
図１３に示されるように、釣り銭機１４の制御回路は、Ｓ２１において、レシート９０がレシート読み取り機９４（図７参照）に挿入されたかどうかをチェックする。Ｓ２１において、レシート９０がレシート読み取り機９４に挿入されると、Ｓ２２に進み、レシート９０に印刷されたバーコード９０ｋのパターンを読み取り、伝票番号を求め、且つ当該伝票番号に対応する釣り銭額を演算する。
【００６６】
次のＳ２３では、当該伝票番号に対応する釣り銭額を硬貨払い出し口９６、紙幣払い出し口９８に排出する。これで、顧客は、釣り銭を受け取ることができる。この後、Ｓ２４で精算終了信号を管理コンピュータ２０へ出力する。
【００６７】
このように、釣り銭機１４では、レシート９０がレシート読み取り機９４（図７参照）に挿入されることにより当該伝票番号に対応する釣り銭額を自動的に払い出しする。
【００６８】
図１４は管理コンピュータ２０が実行するメイン制御処理を説明するためのフローチャートである。
図１４に示されるように、管理コンピュータ２０は、Ｓ３１で記憶装置２２に格納された計量機状態記憶エリア、精算待ち・実給液状態記憶エリア、などの各記憶エリアより記憶内容（データ）を読み込む。
【００６９】
次のＳ３２では、各記憶エリアより読み込んだ記憶内容（設定情報、給液情報、精算情報など）に基づいて各燃料供給装置１６及び各釣り銭機１４の動作状況をモニタ２０ａに表示する（図８乃至図１１参照）。
【００７０】
このように、管理コンピュータ２０は、上記Ｓ３１とＳ３２の処理を予め設定された所定時間毎に繰り返しており、各記憶エリアに格納された情報をモニタ２０ａに表示して各燃料供給装置１６及び各釣り銭機１４の動作状況を係員に報知する。
【００７１】
図１５は管理コンピュータ２０が実行する割り込み処理１を説明するためのフローチャートである。尚、この割り込み処理１は、予め設定された所定時間毎に繰り返し実行される。
図１５に示されるように、管理コンピュータ２０は、Ｓ４１において、給液前情報（計量機番号、支払い方法、給液方法、液種等のデータ）が設定器２６から入力されたかどうかをチェックする。Ｓ４１において、給液前情報が設定器２６から入力されたときは、Ｓ４２に進み、記憶装置２２の計量機状態記憶エリアに給液前情報（計量機番号、支払い方法、給液方法、液種等のデータ）を記憶させる。これにより、モニタ２０ａの当該計量機番号に対応する計量機状態表示領域１０６に給液前情報（計量機番号、支払い方法、給液方法、液種等のデータ）が表示される。この後は上記Ｓ４１に戻る。
【００７２】
また、上記Ｓ４１において、給液前情報が設定器２６から入力されないときは、Ｓ４３に進み、ノズルスイッチ７４がオフになってノズル外れ信号が入力されたかどうかをチェックする。
【００７３】
Ｓ４３において、ノズル外れ信号が入力されたときは、Ｓ４４に進み、記憶装置２２の計量機状態記憶エリアの当該計量機番号及び伝票番号に対応させて給液許可待ち情報（給液許可要求信号有り）を更新記憶させる。これにより、モニタ２０ａの当該計量機番号に対応する計量機状態表示領域１０６に給液許可待ち情報が表示される。この後は上記Ｓ４１に戻る。
【００７４】
また、上記Ｓ４３において、ノズル外れ信号が入力されないときは、Ｓ４５に進み、モニタ２０ａに表示された給液許可釦１２０が押圧操作されたかどうかをチェックする。
【００７５】
Ｓ４５において、給液許可釦１２０が押圧操作されたときは、Ｓ４６に進み、当該計量機番号に対して給液許可信号を出力する。続いて、Ｓ４７では、記憶装置２２の計量機状態記憶エリアの当該計量機番号及び伝票番号に対応させて給液中情報（流量パルス信号有り）を更新記憶させる。これにより、モニタ２０ａの当該計量機番号に対応する計量機状態表示領域１０６に給液中情報が表示される。この後は上記Ｓ４１に戻る。
【００７６】
また、Ｓ４５において、給液許可釦１２０が押圧操作されないときは、Ｓ４８に進み、給液終了信号（ノズルスイッチ７４がオン）が入力されたかどうかをチェックする。Ｓ４８において、給液終了信号が入力されたときは、Ｓ４９に進み、記憶装置２２の計量機状態記憶エリアの当該伝票番号及び伝票番号に対応する給液情報を抹消する。続いて、Ｓ５０では、記憶装置２２の精算待ち・実給液状態記憶エリアに当該伝票番号に対応させて給液情報（給液量、給液金額、釣り銭額等）を更新記憶させる。これにより、モニタ２０ａの表示面の当該計量機番号に対応する計量機状態表示領域１０６に給液情報（図９及び図１０参照）が表示される（釣り銭精算待ち状態表示手段、表示制御手段）。この後は上記Ｓ４１に戻る。
【００７７】
そして、Ｓ４８において、給液終了信号が入力されないときは、上記Ｓ４１に戻る。
【００７８】
このように、管理コンピュータ２０では、計量機状態記憶エリア、精算待ち・実給液状態記憶エリアなどの各記憶エリアのデータを更新記憶または抹消することによりモニタ２０ａに表示される計量機状態表示領域１０６に表示される各データ（伝票番号、液種、給液量、給液金額、釣り銭額等）を更新または消去する。
【００７９】
図１６は管理コンピュータ２０が実行する割り込み処理２を説明するためのフローチャートである。尚、この割り込み処理２は、予め設定された所定時間毎に繰り返し実行される。
図１６に示されるように、管理コンピュータ２０は、Ｓ５１において、精算終了信号（釣り銭１４から釣り銭を払い出した場合に出力される）が入力されたかどうかをチェックする。Ｓ５１において、精算終了信号が入力されたときは、Ｓ５２に進み、精算待ち・実給液情報記憶エリアより精算済みとなった伝票番号の情報を抹消する（図９（Ａ）（Ｂ），図１０（Ａ）（Ｂ）参照）。
【００８０】
次のＳ５３では、精算済み・実給液情報記憶エリアに精算済みとなった伝票番号の情報を記憶する（図９（Ｃ）参照）。続いて、Ｓ５４に進み、予め設定された所定時間が経過されたかどうかをチェックする。
【００８１】
そして、所定時間が経過すると、Ｓ５５に進み、精算済み・実給液情報記憶エリアより精算済みとなった伝票番号の情報を抹消する（図９（Ｄ）、図１０（Ｃ）参照）。
【００８２】
このように、図１４乃至図１５に示す制御処理によって計量機状態表示領域１０６に表示される各データの更新または抹消が行われ、燃料供給装置１６（１６１〜１６ｎ）の動作状況が図９（Ａ）〜（Ｄ）、図１０（Ａ）〜（Ｃ）、図１１（Ａ）〜（Ｃ）に示されるように分かりやすく表示される。
【００８３】
ここで、変形例について説明する。尚、この変形例では、給液前情報を設定する前に入金する場合の処理手順を示す。
図１７は燃料供給装置１６の制御回路６６が実行する制御処理の変形例を説明するためのフローチャートである。
【００８４】
図１７に示されるように、燃料供給装置１６の制御回路（図示せず）は、Ｓ６１において、紙幣が入金されたかどうかをチェックする。Ｓ６１で自動支払機２８に紙幣が入金されると、Ｓ６２に進み、伝票番号、預り額が印字された預り証（図示せず）をレシート発行部５６で発行する。
【００８５】
この後のＳ６３〜Ｓ７０の処理は、前述したＳ１１〜Ｓ１８の処理と同様であるので、その説明は省略する。
【００８６】
そして、Ｓ７１では、実給液情報（液種、単価、給液量、給液金額、消費税、合計金額）を預り証の下欄に印字すると共に、管理コンピュータ２０へ出力する。
【００８７】
図１８は釣り銭機１４の制御回路（図示せず）が実行する制御処理の変形例を説明するためのフローチャートである。
図１８に示されるように、釣り銭機１４の制御回路は、Ｓ８１において、預り証（図示せず）がレシート読み取り機９４（図７参照）に挿入されたかどうかをチェックする。Ｓ８１において、預り証（図示せず）がレシート読み取り機９４に挿入されると、Ｓ８２に進み、預り証（図示せず）に印刷されたバーコードのパターンを読み取り、伝票番号を求め、且つ当該伝票番号に対応する釣り銭額を演算する。
【００８８】
次のＳ８３では、当該伝票番号に対応する釣り銭額を硬貨払い出し口９６、紙幣払い出し口９８に排出する。これで、顧客は、釣り銭を受け取ることができる。この後、Ｓ８４で精算終了信号を管理コンピュータ２０へ出力する。
【００８９】
このように、釣り銭機１４では、預り証（図示せず）がレシート読み取り機９４（図７参照）に挿入されることにより当該伝票番号に対応する釣り銭額を自動的に払い出しする。
【００９０】
この変形例では、給液前情報を設定する前に紙幣を入金する場合の処理手順について説明したものであり、上記預り証には、入金により伝票番号、入金額が印字されており、さらに給液が終了すると、給液された給液情報（液種、単価、給液量、給液金額、消費税、合計金額）も印字する。これにより、入金から給液終了まで１枚の預り証を発行するだけで済み、レシート枚数が増えないので顧客の負担を軽減しうる。
【００９１】
尚、上記実施の形態では、地上設置型の計量機に取り付けられた構成を一例として挙げたが、これに限らず、懸垂式の給液装置にも適用できるのは勿論である。
【００９２】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００９３】
また、上記実施の形態では，ＰＯＳでの商品管理を行っているが、ＰＯＳ無しでの給油システムで実施することも可能である。
【００９４】
また、上記実施の形態では、設定器は、流量表示器を兼ねたタッチパネルを設け、計量機に内蔵されている場合を一例として挙げたが、計量機と別の筐体に入っていたり、タッチパネルを持たない押し釦式であっても適用できるのは勿論である。
【００９５】
【発明の効果】
上述の如く、上記請求項１記載の発明によれば、被供給体への燃料の供給に先立って、貨幣が入金される入金機と、入金機に貨幣が入金されたことを条件に被供給体へ燃料を供給する燃料供給機と、燃料供給機から供給された燃料の供給金額が前記入金額より少ない場合に釣り銭を排出する釣り銭機と、燃料供給機を管理する管理コンピュータと、を備えた燃料供給システムにおいて、管理コンピュータが、表示面と、燃料供給機で燃料の供給を受けた顧客が釣り銭機から釣り銭を排出していない場合にその旨を当該表示器に表示する釣り銭精算待ち状態表示手段とを備えたため、燃料の供給を受けた顧客が釣り銭を受け取ったかどうかを確認することができる。そのため、例えば、釣り銭を受け取らずに燃料供給所を退出した顧客が戻ってきた場合でも釣り銭の受け取りを忘れたことを係員が確認できる。
【００９６】
上記請求項２記載の発明は、管理コンピュータの表示面が、燃料供給機の状態を表示するための燃料供給機状態表示エリアを有し、釣り銭精算待ち状態表示手段が、当該燃料供給機状態表示エリア内に当該燃料供給機より燃料の供給を受けた顧客が釣り銭精算待ち状態であるのか、釣り銭機からの釣り銭の払い出しを受けた状態であるのかを表示する表示制御手段を備えたものであり、複数の燃料供給機それぞれの動作状態と共に釣り銭機より釣り銭を受け取っていない顧客がいずれの燃料供給機より燃料の供給を受けたのかを容易に認識することができる。
【図面の簡単な説明】
【図１】本発明になる燃料供給システムの一実施例の構成図である。
【図２】燃料供給装置１６の正面図である。
【図３】燃料供給装置１６の各機器の構成を示すブロック図である。
【図４】設定器２６のタッチパネル４９に表示される給液開始画面の一例を示す図である。
【図５】設定器２６のタッチパネル４９に表示される給液終了画面の一例を示す図である。
【図６】給液終了後に確認釦８８がオンに操作された場合に発行されるレシートの印字例を示す図である。
【図７】釣り銭機１４の正面図である。
【図８】管理コンピュータ２０のモニタ２０ａの表示面に表示される計量機管理画面の一例を示す図である。
【図９】計量機状態表示領域１０６の表示例の切り替わりを説明するための図である。
【図１０】前の顧客が精算を終了した直後に次の顧客が設定操作を開始した場合の表示例を説明するための図である。
【図１１】３つの給液情報が一部重なって表示させた場合の表示例を示す図である。
【図１２】燃料供給装置１６の制御回路６６が実行する制御処理を説明するためのフローチャートである。
【図１３】釣り銭機１４の制御回路が実行する制御処理を説明するためのフローチャートである。
【図１４】管理コンピュータ２０が実行するメイン制御処理を説明するためのフローチャートである。
【図１５】管理コンピュータ２０が実行する割り込み処理１を説明するためのフローチャートである。
【図１６】管理コンピュータ２０が実行する割り込み処理２を説明するためのフローチャートである。
【図１７】燃料供給装置１６の制御回路６６が実行する制御処理の変形例を説明するためのフローチャートである。
【図１８】釣り銭機１４の制御回路が実行する制御処理の変形例を説明するためのフローチャートである。
【符号の説明】
１０  給液システム
１４  釣り銭機
１６（１６１〜１６ｎ）  燃料供給装置
２０  管理コンピュータ
２０ａ  モニタ
２１  ＰＯＳ本体
２２  記憶装置
２４  計量機
２６  設定器
２８  自動支払機
３０  通信回線
３２１〜３２ｎ  監視カメラ
３４  カメラ分割ユニット
３６  監視モニタ
３８  操作部
４９  タッチパネル
５０  人検知センサ
５２  紙幣挿入部
５４  カード挿入部
５６  レシート発行部
６２  ノズル掛け
６０  給液ノズル
６６  制御回路
７０  給液ポンプ
７２  流量計
７８  カードＲ／Ｗ
８０  メモリ
９０  レシート
９２  インタホン
９４  レシート読み取り機
９６  硬貨払い出し口
９８  紙幣払い出し口
１００  防犯スピーカ
１０２  取扱中表示ランプ
１０４  計量機管理画面
１０６（１０６１〜１０６１６）  計量機状態表示領域
１０８（１０８１〜１０８８）  釣り銭機状態表示領域
１１０  釣り銭機一覧表示釦
１１２  緊急停止釦
１１４  メニュー釦
１１６  監視カメラ表示釦
１１８  停止釦
１２０  給液許可釦
１２２  計量機番号
１２４  動作状態
１２６  伝票番号
１２８  液種
１３０  給液量
１３２  釣り銭額
１４１〜１４３  給液情報
【図１】
2004206628.tif 000003
【図２】
2004206628.tif 000004
【図３】
2004206628.tif 000005
【図４】
2004206628.tif 000006
【図５】
2004206628.tif 000007
【図６】
2004206628.tif 000008
【図７】
2004206628.tif 000009
【図８】
2004206628.tif 000010
【図９】
2004206628.tif 000011
【図１０】
2004206628.tif 000012
【図１１】
2004206628.tif 000013
【図１２】
2004206628.tif 000014
【図１３】
2004206628.tif 000015
【図１４】
2004206628.tif 000016
【図１５】
2004206628.tif 000017
【図１６】
2004206628.tif 000018
【図１７】
2004206628.tif 000019
【図１８】
2004206628.tif 000020